(57)【要約】  びん口部天面の一部が波状に窪む、いわゆる天波といわれる欠点を高精度で検出できるようにする。  撮影手段で撮影した口部画像からびん口部天面上の２点Ａ，Ｂを検出し、ＡＢを両端とする線分ｃを求め、線分ｃの任意の中間点Ｃを通る垂直線ｄと口部天面との交点Ｄを求め、交点Ｄと中間点Ｃの差Ｔを算出し、Ｔの値に基づいてガラスびんの良否判定を行う。びん口部天面に天波があると、線分ｃの中間点Ｃと、Ｃを通る垂直線ｄとびん口部天面の交点Ｄの差が大きくなるから、ＣＤ間の差Ｔを算出して、Ｔが所定の範囲内であれば良品、そうでなければ天波の欠点がある不良品と判定することができる。
2012042583.tif 000002
【特許請求の範囲】
【請求項１】
ガラスびんをびん軸を中心に回転させる回転手段と、
ガラスびんのびん口部に光を照射する光照射手段と、
前記光照射手段により光が照射されているびん口部を撮影する撮影手段と、
前記撮影手段で撮影した口部画像から天波を検出する画像処理手段を有し、
前記画像処理手段は、前記撮影手段で撮影した口部画像からびん口部天面上の２点Ａ，Ｂを検出し、ＡＢを両端とする線分ｃを求め、線分ｃの任意の中間点Ｃを通る垂直線ｄと口部天面との交点Ｄを求め、前記交点Ｄと中間点Ｃの差Ｔを算出し、Ｔの値に基づいてガラスびんの良否判定を行うことを特徴とするガラスびん検査装置。
【請求項２】
前記中間点Ｃが線分ｃの中点であり、前記点Ａの座標を（Ａｘ，Ａｙ）、前記点Ｂの座標を（Ｂｘ，Ｂｙ）、前記点ＤのＹ座標をＤｙとすると、
Ｔ＝Ｄｙ−（Ａｙ＋Ｂｙ）／２
又は
Ｔ＝（Ａｙ＋Ｂｙ）／２−Ｄｙ
の式でＴを求める請求項１に記載のガラスびん検査装置。
【発明の詳細な説明】
【技術分野】
【０００１】
本発明は、ガラスびん口部天面の検査技術に係り、特に、ガラスびん口部天面の波状の凹み（天波）の検査を高速に行うための技術に関する。
【背景技術】
【０００２】
一般に、ガラスびんの製造工程においては、製びん機で製造されたガラスびんがガラスびん検査装置に導かれ、当該ガラスびん検査装置にて欠陥の有無が検査され、所定の欠陥を有するガラスびんが不良品として排除される。この種のガラスびん検査装置としては、びん口部天面の傾斜（以下、「天傾斜」と言う）を検査する検査装置が知られており、ガラスびん検査装置にて天傾斜が大きいガラスびんを排除することで、内容物の液漏れやキャッピング時のトラブルが未然に防止される。【０００３】
天傾斜の検査装置は、例えば、下記特許文献１，２に開示されている。これらの検査装置は、撮影手段で回転するびん口部の画像（静止画像）を連続して撮影し、その各撮影画像からびん口部天面上の２点を検出して当該２点間の垂直方向の差を算出し、その差を天傾斜とみなすものである。
【先行技術文献】
【特許文献】
【０００４】
【特許文献１】特開２００７−２４０４６８
【特許文献２】特開２００７−２４０４６９
【発明の概要】
【発明が解決しようとする課題】
【０００５】
天傾斜は、びん口部天面のほぼ全面が傾斜している欠点で、前記特許文献に開示された技術で検出することが可能である。しかし、内容物の液漏れやキャッピング時のトラブルが生じるびん口部天面の欠点には、びん口部の側面形状において、天面の一部が波状に窪む、いわゆる天波といわれるものがある。前記特許文献１，２に開示される検査装置では、天波の欠点を見逃すことが多いという問題があった。【０００６】
本発明は、前記特許文献１，２に開示される検査装置を利用して、天波の欠点を高精度で検出できるようにすることを課題とするものである。
【課題を解決するための手段】
【０００７】
本発明は、ガラスびんをびん軸を中心に回転させる回転手段と、
ガラスびんのびん口部に光を照射する光照射手段と、
前記光照射手段により光が照射されているびん口部を撮影する撮影手段と、
前記撮影手段で撮影した口部画像から天波を検出する画像処理手段を有し、
前記画像処理手段は、前記撮影手段で撮影した口部画像からびん口部天面上の２点Ａ，Ｂを検出し、ＡＢを両端とする線分ｃを求め、線分ｃの任意の中間点Ｃを通る垂直線ｄと口部天面との交点Ｄを求め、前記交点Ｄと中間点Ｃの差Ｔを算出し、Ｔの値に基づいてガラスびんの良否判定を行うことを特徴とするガラスびん検査装置である。【０００８】
図２，３に示すように、びん口部天面に天波７があると、線分ｃの中間点Ｃと、Ｃを通る垂直線ｄとびん口部天面の交点Ｄの差が大きくなるから、ＣＤ間の差Ｔを算出して、Ｔが所定の範囲内であれば良品、そうでなければ天波の欠点がある不良品と判定することができる。【０００９】
線分ｃの中間点Ｃは、線分ｃの中点にとることが望ましい。その場合、前記点Ａの座標を（Ａｘ，Ａｙ）、前記点Ｂの座標を（Ｂｘ，Ｂｙ）、前記Ｄ点のＹ座標をＤｙとすると、
Ｔ＝Ｄｙ−（Ａｙ＋Ｂｙ）／２
又は、
Ｔ＝（Ａｙ＋Ｂｙ）／２−Ｄｙ
の式でＴを求めることができる。【００１０】
Ｃは線分ｃの中点であるので、ＣのＹ座標は（Ａｙ＋Ｂｙ）／２となり、点ＤのＹ座標はＤｙであるから、ＣＤ間の垂直方向の差は、
Ｄｙ−（Ａｙ＋Ｂｙ）／２
又は、
Ｔ＝（Ａｙ＋Ｂｙ）／２−Ｄｙ
となる。
【発明の効果】
【００１１】
本発明のガラスびん検査装置は、従来の天傾斜を測定する装置を用いて、その画像処理手段に天波を検出するアルゴリズムを加えるだけで、天傾斜の欠点を高精度で検出できるようになる。
【図面の簡単な説明】
【００１２】
【図１】本発明ガラスびん検査装置の概略説明図である。
【図２】口部画像処理の説明図である。
【図３】口部画像処理の説明図である。
【図４】天波の検出方法の説明図である。
【発明を実施するための形態】
【００１３】
以下、図面を参照して本発明の実施の形態について説明する。
図１は、本実施形態に係るガラスびん検査装置１の概略構成を示す図である。この図において、ガラスびん６は図示しない案内手段によって、検査台５の上に案内され、図示しない回転手段によって検査台５の上でびん軸を回転軸として回転される。
【００１４】
ガラスびん６の口部６１を挟んで撮影手段２と光照射手段３が対向配置されている。
撮影手段２は、例えば、像倍率が変化しないテレセントリックレンズが装着された高速エリアセンサカメラとすることができる。光照射手段３は、例えば、青色光を照射する青色ＬＥＤがマトリクス状に配列されて構成された拡散面光源とすることができる。
【００１５】
撮影手段２の光軸は水平よりも角度αだけ上方に傾けられており、びん口部６１をやや下側から撮影するようになっている。これにより、撮影手段からみて奥側のびん口部の縁が撮影されてしまうのを防止する。αは１°〜３°程度が適当である。
この検査装置１の機器（ハードウェア）構成は、前記特許文献１，２に記載されている検査装置と同じでよい。
【００１６】
撮影手段２で撮影された画像（静止画像）は、画像処理手段４に送られ、天波の検出及びガラスびんの良否判定が行われる。画像処理手段４は、モニターが附属したパーソナルコンピュータとすることができる。モニターには、撮影手段２で撮影された画像、検出した天波（Ｔの値）など、必要な情報を表示できる。
【００１７】
撮影は、例えば、ガラスびんが１回転する間に２４回（１５°間隔で）行い、２４コマの各画像について天波の検出が行われるようにする。
画像処理手段は、撮影手段２撮影された口部画像を取り込む毎に次のような画像処理を実行する。
【００１８】
〔口部画像処理〕
図２，３は、撮影手段２によりガラスびんの口部６１を撮影した口部画像を模式的に示す図である。図２は天波７が口部画像のほぼ正面にある場合、図３は天波７が口部画像の右端にある場合を例示している。
ガラスびんの口部は暗く、背景は明るく写し出されるので、画像を２値化することで以下の画像処理を容易に行うことができる。
【００１９】
画像処理手段４は１枚の口部画像を取り込むと、びん口部６１の左右端部のやや内側のＸ座標位置に設定した垂直線ａ，ｂとびん口部６１天面の交点Ａ，Ｂを検出する。垂直線ａ，ｂのＸ座標位置は、口部天面の面取り部６ａよりもやや内側の任意の位置であればよい。
次いで、交点Ａ，Ｂを通る線分ｃを求める。
次いで、線分ｃの中点Ｃを求め、中点Ｃを通る垂直線ｄを設定し、垂直線ｄと口部６１天面の交点Ｄを求める。
【００２０】
〔天波の検出〕
図４は天波の検出方法の説明図である。
点Ａの座標を（Ａｘ，Ａｙ）、前記点Ｂの座標を（Ｂｘ，Ｂｙ）とすると、点Ａ、Ｂを結ぶ線分ｃの中点Ｃの座標は、（（Ａｘ＋Ｂｘ）／２，（Ａｙ＋Ｂｙ）／２）である。
また、垂直線ｄと口部天面の交点ＤのＹ座標をＤｙとし、Ｃ，Ｄの差Ｔを（ＤのＹ座標−ＣのＹ座標）とすると、
Ｔ＝（Ａｙ＋Ｂｙ）／２−Ｄｙ
となる。
ここで、Ｔの単位は画素である。
【００２１】
〔良否判定〕
画像処理手段４は、算出したＴに基づいてガラスびんの良否判定を行う。
良否判定には種々の方法があるが、例えば、次のように行うことができる。
先ず、良品のＴの範囲（上限しきい値、下限しきい値）を定めておく。例えば上限しきい値は６画素、下限しきい値は−８画素のごとくである。
１つのガラスびんが１回転する間に２４回（１５°間隔で）口部を撮影した場合、２４回Ｔが算出される。これら算出された２４のＴの最大値と最小値を求め、最大値が６画素以下、かつ最小値が−８画素以上の場合は良品、その他の場合は不良品と判定することができる。
すわなち、算出された２４のＴの全てが次式を満足していれば良品、１つでも次式を満足しないものがあれば不良品と判定することができる。
−８画素（下限しきい値）≦Ｔ≦６画素（上限しきい値）
また、例えば算出された２４のＴの絶対値の総和を求め、その総和Σ｜Ｔ｜が所定のしきい値より大きい場合そのびんは不良、そうでない場合そのびんは良品と判定することもできる。
【符号の説明】
【００２２】
１  ガラスびん検査装置
２  撮影手段
３  光照射手段
４  画像処理手段
５  検査台
６  ガラスびん
６１  口部
７  天波
【図１】
2012042583.tif 000003
【図２】
2012042583.tif 000004
【図３】
2012042583.tif 000005
【図４】
2012042583.tif 000006
【手続補正書】
【提出日】平成24年6月12日(2012.6.12)
【手続補正１】
【補正対象書類名】特許請求の範囲
【補正対象項目名】全文
【補正方法】変更
【補正の内容】
【特許請求の範囲】
【請求項１】
ガラスびんをびん軸を中心に回転させる回転手段と、
ガラスびんのびん口部に光を照射する光照射手段と、
前記光照射手段により光が照射されているびん口部を撮影する撮影手段と、
前記撮影手段で撮影した口部画像から天波を検出する画像処理手段を有し、
前記撮影手段の光軸は水平よりも上方に傾けられており、
前記画像処理手段は、前記撮影手段で撮影した口部画像からびん口部天面上の２点Ａ，Ｂを検出し、ＡＢを両端とする線分ｃを求め、線分ｃの任意の中間点Ｃを通る垂直線ｄと口部天面との交点Ｄを求め、前記交点Ｄと中間点Ｃの差Ｔを算出し、Ｔの値に基づいてガラスびんの良否判定を行うことを特徴とするガラスびん検査装置。
【請求項２】
前記中間点Ｃが線分ｃの中点であり、前記点Ａの座標を（Ａｘ，Ａｙ）、前記点Ｂの座標を（Ｂｘ，Ｂｙ）、前記点ＤのＹ座標をＤｙとすると、
Ｔ＝Ｄｙ−（Ａｙ＋Ｂｙ）／２
又は
Ｔ＝（Ａｙ＋Ｂｙ）／２−Ｄｙ
の式でＴを求める請求項１に記載のガラスびん検査装置。
【手続補正２】
【補正対象書類名】明細書
【補正対象項目名】０００７
【補正方法】変更
【補正の内容】
【０００７】
本発明は、ガラスびんをびん軸を中心に回転させる回転手段と、
ガラスびんのびん口部に光を照射する光照射手段と、
前記光照射手段により光が照射されているびん口部を撮影する撮影手段と、
前記撮影手段で撮影した口部画像から天波を検出する画像処理手段を有し、
前記撮影手段の光軸は水平よりも上方に傾けられており、
前記画像処理手段は、前記撮影手段で撮影した口部画像からびん口部天面上の２点Ａ，Ｂを検出し、ＡＢを両端とする線分ｃを求め、線分ｃの任意の中間点Ｃを通る垂直線ｄと口部天面との交点Ｄを求め、前記交点Ｄと中間点Ｃの差Ｔを算出し、Ｔの値に基づいてガラスびんの良否判定を行うことを特徴とするガラスびん検査装置である。
【手続補正３】
【補正対象書類名】明細書
【補正対象項目名】００１７
【補正方法】変更
【補正の内容】
【００１７】
撮影は、例えば、ガラスびんが１回転する間に２４回（１５°間隔で）行い、２４コマの各画像について天波の検出が行われるようにする。
画像処理手段は、撮影手段２で撮影された口部画像を取り込む毎に次のような画像処理を実行する。
【手続補正書】
【提出日】平成25年7月9日(2013.7.9)
【手続補正１】
【補正対象書類名】特許請求の範囲
【補正対象項目名】全文
【補正方法】変更
【補正の内容】
【特許請求の範囲】
【請求項１】
ガラスびんをびん軸を中心に回転させる回転手段と、
前記ガラスびんのびん口部に光を照射する光照射手段と、
前記光照射手段により光が照射されている前記びん口部を撮影する撮影手段と、
前記撮影手段で撮影した口部画像から天波を検出する画像処理手段を有し、
前記撮影手段の光軸は水平よりも上方に傾けられており、
前記画像処理手段は、前記撮影手段で撮影した前記口部画像から、前記びん口部の左右端部の内側に設定した垂直線ａ，ｂと前記びん口部天面の交点Ａ（Ａｘ，Ａｙ），Ｂ（Ｂｘ，Ｂｙ）を検出し、ＡＢを両端とする線分ｃを求め、前記線分ｃの中点Ｃ（（Ａｘ＋Ｂｘ）／２，（Ａｙ＋Ｂｙ）／２）を通る垂直線ｄを設定し、前記口部画像において設定した前記垂直線ｄと前記びん口部天面との交点Ｄを求め、前記交点Ｄと前記中点Ｃの差Ｔを算出し、Ｔの値に基づいてガラスびんの良否判定を行うことを特徴とするガラスびん検査装置。
【請求項２】
前記交点ＤのＹ座標をＤｙとすると、
Ｔ＝Ｄｙ−（Ａｙ＋Ｂｙ）／２
又は
Ｔ＝（Ａｙ＋Ｂｙ）／２−Ｄｙ
の式でＴを求める請求項１に記載のガラスびん検査装置。
【国際調査報告】
2012042583.tif 000007
2012042583.tif 000008